(57)【要約】【課題】  外筒にリング体を連設したキャップ本体の外周壁に、不正開封防止具を取着した分別回収用のヒンジキャップを提供すること。【解決手段】  キャップ本体と上蓋とからなるキャップにおいて、キャップ本体は、内筒と外筒とを具えた嵌合筒部と注出筒とを具え、外筒には、連結片と弱化片を介して、スリットを形成するようにリング体が連設されており、上蓋の側周壁下端に、周縁部に係止片を立設した摘み片を設け、側周壁下面に、スリットに嵌挿する弧状壁を垂設し、リング体には、肉薄部を有する連結片を介して、摘み片の係止片に係合する係止板を具えた封印具を取着したことを特徴とする。【選択図】  図１
2010013113.tif 000002
【特許請求の範囲】
【請求項１】
キャップ本体と上蓋とからなるキャップにおいて、
キャップ本体は、内筒と外筒とを具えた嵌合筒部と注出筒とを具え、
外筒には、連結片と弱化片を介して、スリットを形成するようにリング体が連設されており、
上蓋の側周壁下端に、周縁部に係止片を立設した摘み片を設け、側周壁下面に、スリットに嵌挿する弧状壁を垂設し、
リング体には、肉薄部を有する連結片を介して、摘み片の係止片に係合する係止板を具えた封印具を取着したことを特徴とする不正開封防止具付き分別回収容易なヒンジキャップ。
【請求項２】
キャップ本体と上蓋とからなるキャップにおいて、
キャップ本体は、内筒と外筒とを具えた嵌合筒部と注出筒とを具え、
外筒には、一体成形された接続部と弱化片を介して、リング体が連設されており、
上蓋の側周壁下端に、周縁部に係止片を立設した摘み片を設け、
リング体には、肉薄部を有する連結片を介して、摘み片の係止片に係合する係止板を具えた封印具を取着したことを特徴とする不正開封防止具付き分別回収容易なヒンジキャップ。
【発明の詳細な説明】
【技術分野】
【０００１】
本発明は、ヒンジキャップ、とくに不正開封防止具付きの分別回収が容易なヒンジキャップに関するものである。
【背景技術】
【０００２】
キャップ本体（１）と、該キャップ本体（１）にヒンジで連結され、ヒンジの反対側に押圧片（４）を設けた蓋体（２）とからなるヒンジキャップにおいて、押圧片（４）の先端部上面に係止突起（５）を設けるとともにキャップ本体に、押圧片（４）と対向する位置に、前記係止突起（５）を外側から乗り越えて内側に係止する係合凸起（８）を具えた不正開封防止機構を設けることは、従来より知られている（例えば、特許文献１参照）。
【０００３】
また、ヒンジキャップの分別回収を容易にするため、キャップ本体（１）の外周壁を外筒（５）と、外筒（５）の外側に連設したリング体（３）とから構成し、両者を弱化片（７）と弱化部（８）で接続するようにしたヒンジキャップは、従来より知られている（例えば、特許文献２参照）。
【特許文献１】実用新案登録第２５３８３７１号公報
【特許文献２】特開２００３−２４６３３８号公報
【発明の開示】
【発明が解決しようとする課題】
【０００４】
しかしながら、上記特許文献２記載のヒンジキャップは、分別回収は上蓋を引張り上げることによって簡単にできるが、キャップ本体と上蓋との間に、特許文献１に記載されているような不正開封防止機構をそのまま採用することはできない。
すなわち、特許文献２記載のヒンジキャップでは、ヒンジの反対側にある上蓋の摘み片を係止するように不正開封防止機構を設けなければならないが、キャップ本体（１）の外周壁を外筒（５）とリング体（３）とから構成しているので、リング体（３）の上端部に開封防止機構を取り付けた場合に、開封防止機構に外側より力が加わると、リング体（３）が内側に押され、上端部が移動し、開封防止機構を安定して支持できないという問題があった。
そのため、加重が繰り返してかけられると、開封防止機構の取付部、係止爪等が変形し、破損するおそれもあった。
【０００５】
本発明は、上記問題点を解決し、外筒にリング体を連設したキャップ本体の外周壁に、不正開封防止具を取着した分別回収用のヒンジキャップを提供することを目的とする。
【課題を解決するための手段】
【０００６】
本発明は、上記の課題を解決するため、ヒンジキャップとして、キャップ本体と上蓋とからなるキャップにおいて、キャップ本体は、内筒と外筒とを具えた嵌合筒部と注出筒とを具え、外筒には、連結片と弱化片を介して、スリットを形成するようにリング体が連設されており、上蓋の側周壁下端に、周縁部に係止片を立設した摘み片を設け、側周壁下面に、スリットに嵌挿する弧状壁を垂設し、リング体には、肉薄部を有する連結片を介して、摘み片の係止片に係合する係止板を具えた封印具を取着したことを特徴とする構成を採用する。
【０００７】
ヒンジキャップの別実施例として、キャップ本体と上蓋とからなるキャップにおいて、キャップ本体は、内筒と外筒とを具えた嵌合筒部と注出筒とを具え、外筒には、一体成形された接続部と弱化片を介して、リング体が連設されており、上蓋の側周壁下端に、周縁部に係止片を立設した摘み片を設け、リング体には、肉薄部を有する連結片を介して、摘み片の係止片に係合する係止板を具えた封印具を取着したことを特徴とする構成を採用する。
【発明の効果】
【０００８】
キャップ本体の嵌合筒部の外筒に、連結片を介してスリットを形成するようにリング体を連設し、上蓋側周壁下面にスリットに嵌挿する弧状壁を設けていることにより、肉薄部を有する連結片を介してリング体に連設した不正開封防止具を安定して維持し、破損を防ぐことができるようになった。
また、リング体を外筒に一定範囲の接続部と弱化片を介して連設した場合にも不正開封防止具を安定して維持し、破損を防ぐことができるようになった。
したがって、本発明は、外筒にリング体を連設した分別回収容易なヒンジキャップにおいて、キャップ本体と上蓋との間に肉薄部を有する連結片でリング体を連設した不正開封防止具を安定して配設できるようになった。
【発明を実施するための最良の形態】
【０００９】
次に、本発明ヒンジキャップの実施態様について実施例をあげ、図面を参照して説明する。
【実施例１】
【００１０】
図１、２において、Ａは容器、Ｂはキャップ本体、Ｃはヒンジ、ＤはヒンジＣを介してキャップ本体Ｂに連設されたキャップの上蓋、Ｅは不正開封防止具である。 
【００１１】
容器Ａは、口筒部１と肩部、胴部と底部からなり、口筒部１外周面には、嵌合突条２が設けられている。
【００１２】
キャップ本体Ｂは、嵌合筒部３と注出筒４とからなり、嵌合筒部３は、周縁に係合突条を設けた係合部５を立設した環状の上壁６と、上壁６の内周縁から垂設された内筒７と、上壁６の外周縁から垂設された外筒８とからなっている。
外筒８の内周面下端部には、容器Ａ口筒部１の嵌合突条２と係合する係合突条９が設けられており、外筒８の外周には、下端部に連結片１０と、複数の弱化片１１が設けられ、キャップ本体Ｂの外周壁を形成するリング体１２が、スリット１３を形成して連設されている。
リング体１２のヒンジ反対側の上端部には、不正開封防止具Ｅが連設されている。
【００１３】
内筒７の下端は、環状壁１４を介して注出筒４と連設されており、注出筒４内周の所定位置には、隔壁１５が設けられ、弱化溝１６によって注出口を形成する除去部１７が配設されている。
除去部１７には、支柱を介してプルリング１８が連設されている。
【００１４】
上蓋Ｄは、ヒンジＣによってキャップ本体Ｂのリング体１２の所定位置上端に取着されており、頂壁２０と側周壁２１を具えている。
頂壁２０下面には、注出筒４の上端部に係合する密封リング２２が垂設されており、側周壁２１の下端部内周には、キャップ本体Ｂの係合部５と係合する接合面２３と、下方に係合突条を設けた係合凹部２４が凹設されている。
接合面２３には、複数の空気抜き２３ａが設けられている。
【００１５】
側周壁２１の下端部外周には、ヒンジＣの反対側に一定範囲に延びる摘み片２５が配設されており、摘み片２５の周縁部上面には、弧状の係止片２６が立設されている。
側周壁２１の下端面には、摘み片２５の巾に一致し、キャップ本体Ｂの外筒８とリング体１２との間のスリット１３に嵌挿される弧状壁２７が垂設されている。
【００１６】
不正開封防止具Ｅは、図２、図３に示すように、封印板３０と、該封印板３０の中央部に配設された係止板３１、該係止板３１を除く部分に配設された底板３２、およびキャップ本体Ｂと連設する連結片３３とからなっている。
封印板３０は、摘み片２５の外周縁に沿って形成された外周部３４と、キャップ本体Ｂに沿って形成された円弧部３５とから構成され、上方が細巾となっている。
【００１７】
係止板３１は、外周部３４の中央部に位置し、摘み片２５の係止片２６とほぼ等しい巾を有し、係止片２６を覆う上板３６と、該上板３６の内周縁に垂設され、係止片２６の内側と係合する係止片３７とからなっている。
底板３２は、摘み片２５の下面に位置するように係止板３１の両側に配設され、封印板３０の外周部３４下端から連設されている。
【００１８】
連結片３３は、底板３２とリング体１２、および封印板３０円弧部３５とリング体１２との間に複数個配設され、上部を肉薄部３８としてリング体１２に接続し、下方は傾斜して、リング体１２表面との間隔は広く形成されている。
【００１９】
次に、実施例の使用態様と作用効果について説明する。
本実施例の容器Ａには、加熱殺菌された内容物が充填され、上蓋Ｄを閉じ、不正開封防止具Ｅによってキャップ本体Ｂと上蓋Ｄを封印したヒンジキャップを打栓し、内容物を熱充填した容器Ａを得ることができる。
【００２０】
上蓋Ｄを閉じる際には、図４に示すように、上蓋Ｄの摘み片２５によって係止板３１が外方に移動させられ、封印板３０と係止板３１は連結片３３の肉薄部３８を中心として廻動させられる。
【００２１】
上蓋Ｄが閉じられたときには、係止片３７が摘み片２５の係止片２６を乗り越えて係止片２６の内側に係合し、封印板３０が復元して上蓋Ｄとキャップ本体Ｂとが封印される。
そしてまた、上蓋Ｄの側周壁２１下端の弧状壁２７が、キャップ本体Ｂの外筒８とリング体１２との間のスリット１３に嵌挿され、リング体１２が妄動することを防止することができる。
したがって、封印板３０を外側から押圧しても、肉薄部３８が破損することを防ぐことができる。
【００２２】
開封にあたっては、係止板３１を廻動させると、係止片３７が摘み片２５の係止片２６を乗り越え、同時に、連結片３３の肉薄部３８を切断することもできる。
したがって、故意または過失による不正開封が行われたときには、外部から視認することができる。
【００２３】
その他の作用効果として、上蓋Ｄの側周壁２１下部の接合面２３には、複数の空気抜きが設けられ、外部と通じているから、加熱充填、冷却にあたっては、キャップ上蓋Ｄ内を一定圧に保つことができ、加熱充填時のトラブルを解消できる。
また、キャップ本体Ｂの外筒８の外周にリング体１２を設けているから、キャップの分別回収にあたって、ヒンジキャップを容器から容易に取外すことができるようになっている。
【実施例２】
【００２４】
次に、キャップ本体の外筒とリング体との関連構造と、不正開封防止具の構造を変更した第２実施例について説明する。
以下、同一の構成部分には同一の符号に添字ａを付して簡単に説明し、相違点を中心に説明する
【００２５】
図５、図６において、Ａは容器、Ｂａはキャップ本体、Ｃａはヒンジ、Ｄａはキャップの上蓋、Ｅａは不正開封防止具である。
【００２６】
キャップ本体Ｂａは、嵌合筒部３ａと、注出筒４ａとからなり、嵌合筒部３ａは、係合部５ａを立設した環状の上蓋６ａと内筒７ａ、外筒８ａとを具えている。
外筒８ａの外周には、リング体１２ａが連設され、ヒンジＣａの反対側には、外筒８ａとリング体１２ａを一体とする中央部分によって１００°以内の角度範囲で接続部４０が形成され、その他の部分には、弱化片１１ａが形成されている。
【００２７】
上蓋Ｄａは、頂壁２０ａと側周壁２１ａとを具えており、側周壁２１ａの下端外周には、ヒンジＣａの反対側に周縁部上面に弧状の係止片２６ａを立設した摘み片２５ａが配設されている。
【００２８】
不正開封防止具Ｅａは、封印板４１と係止板３１ａ、底板４２と、底板４２とキャップ本体Ｂａのリング体１２ａとを連設する連結片４３とからなっている。
封印板４１は、摘み片２５ａの外周縁に沿って弧状に形成されており、上方が細巾となっている。
【００２９】
係止板３１ａは、封印板４１の中央部に位置し、摘み片２５ａの係止片２６ａを覆う上板３６ａと、係止片３７ａとからなっている。
底板４２は、摘み片２５ａの下面に位置するように係止板３１ａの両側に配設され、封印板４１下端から連設されている。
連結片４３は、複数個配設され、上部を肉薄部３８ａとしてリング体１２ａに接続されている。
【００３０】
次に、第２実施例の作用効果について説明する。
キャップ本体Ｂａにおいて、外筒８ａとリング体１２ａとは、ヒンジＣａの反対側で連結片４３によって連設されているので、第１実施例のように、上蓋Ｄａの側周壁下面に弧状壁が不要となり、成形が容易となった。
また、不正開封防止具Ｅａのリング体１２ａに沿った封印板の円弧部は不要としているので、構成を簡単にすることができた。
その他、第１実施例と同等の作用効果を得ることができる。
【産業上の利用可能性】
【００３１】
本発明は、キャップ本体の外筒にスリットを形成するようにしてリング体を連設し、分別回収を容易にしたヒンジキャップにおいて、リング体を安定させるようにしているから、不正開封防止具ばかりではなく、その他の部品の取着にも広く利用することができる。
【図面の簡単な説明】
【００３２】
【図１】本発明の第１実施例のキャップの断面立面図である。
【図２】上蓋を開いたときの上面図である。
【図３】不正開封防止具の要部の説明図で、（ａ）は図２のＡ−Ａ線、（ｂ）は同じくＢ−Ｂ線、（ｃ）は同じくＣ−Ｃ線における切断面立面図である。
【図４】上蓋の閉蓋時の不正開封防止具の作用説明図である。
【図５】キャップの第２実施例の断面立面図である。
【図６】上蓋を開いたときの上面図である。
【符号の説明】
【００３３】
Ａ              容器
Ｂ、Ｂａ        キャップ本体
Ｃ、Ｃａ        ヒンジ
Ｄ、Ｄａ        上蓋
Ｅ、Ｅａ        不正開封防止具
１              口筒部
２              嵌合突条
３、３ａ        嵌合筒部
４、４ａ        注出筒
５、５ａ        係合部
６、６ａ        上壁
７、７ａ        内筒
８、８ａ        外筒
９              係合突条
１０            連結片
１１、１１ａ    弱化片
１２、１２ａ    リング体
１３            スリット
１４            環状壁
１５            隔壁
１６            弱化溝
１７            除去部
１８            プルリング
２０、２０ａ    頂壁
２１、２１ａ    側周壁
２２            密封リング
２３            接合面
２３ａ          空気抜き
２４            係合凹部
２５、２５ａ    摘み片
２６、２６ａ    係止片
２７            弧状壁
３０、４１      封印板
３１、３１ａ    係止板
３２、４２      底板
３３、４３      連結片
３４            外周部
３５            円弧部
３６、３６ａ    上板
３７、３７ａ    係止片
３８、３８ａ    肉薄部
４０            接続部
【図１】
2010013113.tif 000003
【図２】
2010013113.tif 000004
【図３】
2010013113.tif 000005
【図４】
2010013113.tif 000006
【図５】
2010013113.tif 000007
【図６】
2010013113.tif 000008